(57)【要約】【課題】意匠パネルの組合せにより構築される間仕切壁であって、乾式の施工が可能で且つ施工性に一層優れ、しかも、容易に移設することが出来る間仕切壁を提供する。【解決手段】間仕切壁は、天井（９０）に取り付けられる上枠（１）と、床（９１）に取り付けられる下枠（２）と、上枠（１）と下枠（２）で支持される一対の意匠パネル（３）とから成り、上枠（１）は、下方へ向けて開口する逆樋状に形成されて意匠パネル（３）の上縁部が挿入される様になされ、下枠（２）は、上方へ向けて開口する樋状に形成され且つ意匠パネル（３）の下縁部が落し込まれるパネル支持溝（２３）を備え、各意匠パネル（３）は、背面に間柱状のスペーサー（５）が取り付けられていることにより、互いに背面を内側にして重ね合わせた場合に所定の壁厚を形成する様になされている。【選択図】        図１
2005009263.tif 000002
【特許請求の範囲】
【請求項１】
天井（９０）に取り付けられる上枠（１）と、当該上枠に対向する状態で床（９１）に取り付けられる下枠（２）と、これら上枠（１）と下枠（２）で支持される一対の意匠パネル（３）とから成り且つ乾式工法によって施工される間仕切壁であって、上枠（１）は、下方へ向けて開口する逆樋状に形成され且つその内側に意匠パネル（３）の上縁部が挿入される様になされ、下枠（２）は、上方へ向けて開口する樋状に形成され且つ長手方向に沿った両側部に意匠パネル（３）の下縁部が落し込まれるパネル支持溝（２３）を備え、各意匠パネル（３）は、背面に複数本の間柱状のスペーサー（５）が取り付けられていることにより、互いに背面を内側にして重ね合わせた場合に所定の壁厚を形成する様になされ、かつ、各スペーサー（５）には、重ね合わせた一対の意匠パネル（３）を引き離す方向に反発力を発揮する弾性体が付設されていることを特徴とする間仕切壁。
【請求項２】
弾性体が、樹脂成形体（５３）であり且つ各スペーサー（３）の先端に付設されている請求項１に記載の間仕切壁。
【請求項３】
下枠（２）は、上方へ向けて開口する樋状に形成され且つ床（９１）に固定される幅木部材（４）に収容され、かつ、下方へ向けて突設したボルト（２１）により不陸調整可能になされている請求項１又は２に記載の間仕切壁。
【請求項４】
スペーサー（５）は、一対の意匠パネル（３）の間に介在する箱状の間隙構成部（５１）と、当該間隙構成部の基部を構成する板状のパネル取付部（５２）とから成り、意匠パネル（３）の背面の一方の側縁部には、パネル取付部（５２）の一部を側縁から張出した状態で１つのスペーサー（５）が取り付けられ、意匠パネル（３）の背面の他方の側縁部には、パネル取付部（５２）の一部を挟持するクリップ部材（６）が取り付けられ、横方向に配列した意匠パネル（３）同士をスペーサー（５）のパネル取付部（５２）とクリップ部材（６）とにより連結可能になされている請求項１〜３の何れかに記載の間仕切壁。
【請求項５】
意匠パネル（３）が、合成樹脂シートの両面に金属シートを積層してなる複合板である請求項１〜４の何れかに記載の間仕切壁。
【発明の詳細な説明】
【０００１】
【発明の属する技術分野】
本発明は、間仕切壁に関するものであり、詳しくは、柱を使用することなく意匠パネルの組合せにより構築される間仕切壁に関するものである。
【０００２】
【従来の技術】
建屋の内部を仕切る間仕切壁としては、現場で額縁状のフレームを組み立て、その両面に意匠用のパネルを貼着して間仕切壁を構成する様にした間仕切壁が「間仕切りパネル」及び「間仕切り構造」として提案されている。
【０００３】
上記の間仕切壁は、正面視して長方形の額縁状の枠組（フレーム本体）を４本のフレーム材（フレーム部）により作製し、下端のフレーム材に高さ調整用のボルトを枠組の内側から下方に向けて螺着し、上端のフレーム材の上縁にクッション材を取り付けた後、枠組を立てた状態で下端のフレーム材から床面に向けてボルトを突出させることにより、枠組全体を天井に押し付けると共に、フレーム材上縁のクッション材の反発力により、天井と床の間で枠組を固定し、次いで、枠組の表面にパネルを両面テープや接着剤で貼着することにより施工される。
【０００４】
上記の間仕切壁は、言わば半湿式施工の壁であるが、複数の柱を立設してその両面にパネルを固定していた従前の間仕切壁に比べ、柱の施工および躯体側の施工が不要であるため、短期に施工でき且つ比較低ローコストで構築することが出来る（特許文献１参照）。
【０００５】
【特許文献１】
特開２００２−３４８９９８号公報：
【０００６】
【発明が解決しようとする課題】
ところで、上記の間仕切壁は、構造、施工性などに関し、実際、次の様な問題がある。
【０００７】
１）枠組の材料としての形状の異なる上下および縦の３種類のフレーム材の他、ボルト、ねじ、両面テープと言った付属部品や材料を準備しなければならず、部材の数が多い。
２）枠組の作製にあたり、組み付けた枠組の４つの入隅部にＬ型金具をあてがい、各フレーム材をねじで結合しなければならないため、準備作業としての枠組の作製に手間を要し、施工性に欠ける。
３）枠組を建て付ける際にボルトの締め込みによりレベル調整（水平調整）を行うが、枠組の歪み等により、正確なレベル調整が難しく、施工性に欠ける。
４）枠組の両面に意匠用のパネルを固定するにあたり、両面テープ等の粘着テープや接着剤を使用しなければならないため、正確にパネルを貼るのに相当の手間と熟練を必要とする。
５）天井側の枠組の上端がクッション材の摩擦力だけで固定されるため、水平荷重に弱く、倒れ易い。
６）一旦構築すると、床と天井との間で突っ張り力を働かせるボルトがパネルの内部に埋め込まれた状態となるため、別の場所に移設するのに再施工せんとした場合、少なくとも一面側のパネルを枠組から剥がす必要があり、施工性が極めて悪く、しかも、一度剥がしたパネルは変形や破損により再利用できない。
【０００８】
本発明は、上記の実情に鑑みなされたものであり、その目的は、柱を使用することなく意匠パネルの組合せにより構築される間仕切壁であって、乾式の施工が可能で且つ施工性に一層優れ、しかも、容易に移設することが出来る間仕切壁を提供することにある。
【０００９】
【課題を解決するための手段】
上記の課題を解決するため、本発明は、背面に間柱状のスペーサーが配置された同一形状の意匠パネルを表裏に一対配置することにより、意匠パネルだけで壁としての剛性を得る様にした。そして、天井に取り付けた挿入構造の上枠によって意匠パネルの上縁部を支持し、床に取り付けた落し込み構造の下枠によって意匠パネルの下縁部を支持することにより、水平荷重に対する取付強度を高め且つ施工性を高める様にした。しかも、スペーサーに付設した弾性体により、一対の意匠パネルの間に反発力を生じさせ、意匠パネル間のがたつきを防止する様にした。
【００１０】
すなわち、本発明の要旨は、天井に取り付けられる上枠と、当該上枠に対向する状態で床に取り付けられる下枠と、これら上枠と下枠で支持される一対の意匠パネルとから成り且つ乾式工法によって施工される間仕切壁であって、前記上枠は、下方へ向けて開口する逆樋状に形成され且つその内側に前記意匠パネルの上縁部が挿入される様になされ、前記下枠は、上方へ向けて開口する樋状に形成され且つ長手方向に沿った両側部に前記意匠パネルの下縁部が落し込まれるパネル支持溝を備え、前記各意匠パネルは、背面に複数本の間柱状のスペーサーが取り付けられていることにより、互いに背面を内側にして重ね合わせた場合に所定の壁厚を形成する様になされ、かつ、前記各スペーサーには、重ね合わせた前記一対の意匠パネルを引き離す方向に反発力を発揮する弾性体が付設されていることを特徴とする間仕切壁に存する。
【００１１】
【発明の実施の形態】
本発明に係る間仕切壁の一実施形態を図面に基づいて説明する。図１は、本発明に係る間仕切壁の構造を示す厚さ方向に沿った縦断面図である。図２は、意匠パネルの外観および構造を示す斜視図であり、図３は、意匠パネルにおけるスペーサーの配置例を示す平面図である。図４は、横方向に配列した意匠パネルの連結構造を示す水平断面図である。また、図５は、本発明に係る間仕切壁のコーナー部の構造を示す水平断面図であり、図６は、本発明に係る間仕切壁の小口の構造を示す水平断面図である。
【００１２】
本発明の間仕切壁は、建屋の内部を仕切るために構築される間仕切壁であり、図１に示す様に、天井（９０）に取り付けられる上枠（１）と、当該上枠に対向する状態で床（９１）に取り付けられる下枠（２）と、これら上枠（１）と下枠（２）で支持される一対の意匠パネル（３）とから成り、斯かる間仕切壁は、乾式工法によって施工される。すなわち、本発明の間仕切壁は、柱や枠組（フレーム）を使用することなく、意匠パネル（３）の組合せによって所要の剛性を得る様にした乾式施工が可能な間仕切壁である。
【００１３】
上枠（１）は、意匠パネル（３）の上縁部を支持する部材であり、下方へ向けて開口する逆樋状に形成され且つその内側に意匠パネル（３）の上縁部が挿入される様になされている。具体的には、上枠（１）は、長手方向に直交する断面が略コ字状に形成された部材であり、その底面（上端面）に挿通したねじ（１１）により、下方へ向けて開口する状態で天井（９０）に固定され、そして、長手方向に沿って垂下する両側の側板（１３）により、意匠パネル（３）の上縁部をその外面側から受止める様になされている。
【００１４】
通常、上枠（１）の幅は４０〜７０ｍｍ程度、上枠（１）の高さは３０〜５０ｍｍ程度とされ、上枠（１）を固定するねじ（１１）は、上枠（１）の長手方向に沿って３００〜６００ｍｍ程度のピッチで設けられる。また、上記の上枠（１）を天井（９０）に固定する場合、ねじ（１１）の脱落を防止するため、通常は天井（９０）の裏側に型鋼やアルミニウム押出材などの長尺の補強材（７１）が配置され、補強材（７１）に上記のねじ（１１）が締結される。
【００１５】
下枠（２）は、意匠パネル（３）の下縁部を支持する部材であり、上方へ向けて開口する樋状に形成され且つ長手方向に沿った両側部には意匠パネル（３）の下縁部が落し込まれるパネル支持溝（２３）を備えている。具体的には、下枠（２）は、長手方向に直交する断面が略コ字状に形成された部材であり、上方へ向けて開口する状態で後述する幅木部材（４）に収容される。
【００１６】
下枠（２）の長手方向に沿った両側部は、側面部の上縁から外側へ張出した平坦部の先端に垂直な外側板（２３ａ）を設け且つ前記平坦部の途中から略く字状の断面の内側板（２３ｂ）を立ち上げて構成されており、上記のパネル支持溝（２３）は、外側板（２３ａ）と内側板（２３ｂ）とにより構成されている。すなわち、上記のパネル支持溝（２３）は、意匠パネル（３）の下縁部を差し込んだ場合、略く字状の内側板（２３ｂ）が弾性的に当接することにより、がたつきなく意匠パネル（３）の下縁部を支持する様になされている。
【００１７】
また、下枠（２）の底面には、不陸調整用のボルト（２１）が当該下枠の下面側に突出する状態で螺着され、斯かるボルト（２１）には、その突出量を調整した後に固定するため、ロックナット（２２）が螺着される。そして、下枠（２）は、予め床（９１）に固定された図示する様な幅木部材（４）に収容される様になされている。すなわち、下枠（２）は、上方へ向けて開口する樋状に形成され且つ床（９１）に固定される幅木部材（４）に収容されることにより、幅木部材（４）を介して間接的に床（９１）に固定される様になされており、そして、当該下枠を水平に設置するため、下方へ向けて突設した上記のボルト（２１）により不陸調整可能になされている。
【００１８】
通常、下枠（２）の幅は４０〜７０ｍｍ程度、下枠（１）の高さ（外側板（２３ａ）の上端までの高さ）は３０〜５０ｍｍ程度とされ、不陸調整用のボルト（２１）は、下枠（２）の長手方向に沿って３００〜６００ｍｍ程度のピッチで設けられる。また、幅木部材（４）は、その底面に挿通したねじ（４１）により、床（９１）に固定される様になされており、ねじ（４１）は、幅木部材（４）の長手方向に沿って３００〜６００ｍｍ程度のピッチで設けられる。
【００１９】
実質的に壁を構成する上記の意匠パネル（３）としては、所要の剛性および意匠性を備えている限り、各種のパネルを使用することが出来るが、本発明においては、例えば、合成樹脂シートの両面に金属シートを積層してなる複合板が使用される。意匠パネル（３）として、上記の複合板を使用すことにより、必要な強度を得ることが出来、かつ、軽量化を図ることが出来る。
【００２０】
上記の複合板の芯材である合成樹脂シートとしては、具体的には、ポリエチレン、ポリプロピレン等のポリオレフィン、ポリ塩化ビニル、ポリアミド、ポリカーボネート、ポリスチレン、ポリヒドロキシルエーテル、酢酸ビニル等の熱可塑性樹脂のシートが挙げられる。勿論、熱硬化性樹脂であってもよい。上記の様な材料から成るシートは、約１〜６ｍｍの厚さに形成される。一方、金属シートとしては、アルミニウム、ステンレス、鉄などの金属または各種の合金のシートが使用される。そして、これらの金属シートは、約０．０５〜１．０ｍｍ、通常は０．１〜０．５ｍｍの厚さとされる。上記の金属シートは、接着剤などの使用により、芯材の合成樹脂シートに十分に密着させた状態で設けられる。
【００２１】
上記の複合板としては、例えば、三菱化学社製の商品「アルポリック」を挙げることが出来る。この商品は、熱可塑性樹脂板（例えばポリエチレン板）の両面に金属板（例えばアルミニウム板）を接着接合した複合板であり、建材分野を初めとして各種の分野で広く使用されている。上記の様な複合板は、溶融押出しされた合成樹脂シートとの両面に金属シートを重ね合わせ、回転ロールの間に通過させて製造される。なお、意匠パネル（３）の縦横の寸法規格は、通常、高さが２５００〜２７００ｍｍ程度、幅が９００〜１２００ｍｍ程度に設計される。
【００２２】
本発明においては、図２及び図３に示す様に、同一形状の一対の意匠パネル（３）を組み合わせて壁を構成するが、各意匠パネル（３）は、背面に複数本の間柱状のスペーサー（５）が取り付けられていることにより、互いに背面を内側にして重ね合わせた場合に所定の壁厚を形成する様になされている。
【００２３】
スペーサー（５）は、図３及び図４に示す様に、一対の意匠パネル（３）を重ね合わせた場合にその間に介在する箱状の間隙構成部（５１）と、当該間隙構成部の基部を構成する板状のパネル取付部（５２）とから成り、具体的には、長手方向に直交する断面が例えば略長方形に形成されたアルミニウム押出材などのいわゆる角パイプによって作製される。そして、図１及び図２に示す様に、スペーサー（５）は、意匠パネル（３）の背面に鉛直方向に亙って取り付けられ、かつ、図３に示す様に、互いに背面が内側となる様に一対の意匠パネル（３）を重ね合わせた場合に、互いに重畳しない位置に例えば３箇所配置される。
【００２４】
スペーサー（５）は、間仕切壁の施工前、意匠パネル（３）の背面に予め工場などにおいて取り付けられる。スペーサー（５）の取付においては、通常、接着剤または両面テープが使用される。また、スペーサー（５）の取付においては、先端が意匠パネル（３）の内部に埋設される構造の埋設型リベットを使用することも出来る。なお、意匠パネル（３）裏面からの間隙構成部（５１）の突出長さは、一対の意匠パネル（３）の間の間隙の大きさに相当し、通常は３０〜７０ｍｍ程度とされる。なお、壁厚は、各意匠パネル（３）の厚さにこれらパネル間の間隙の大きさを加えたものである。
【００２５】
本発明においては、一対の意匠パネル（３）を組み合わせた場合に各意匠パネル（３）のがたつきを防止し、かつ、全体として一体化された壁を構成するため、上記の各スペーサー（５）には、互いに背面を内側にして重ね合わせた一対の意匠パネル（３）を引き離す方向に反発力を発揮する弾性体が付設される（図１、図３及び図４の符号（５３）参照）。
【００２６】
上記の弾性体としては、金属製のばねを使用することも出来るが、通常、ゴム、エラストマー樹脂などから成るクッション性を有するブロック状またはシート状の樹脂成形体が使用される。図１、図３及び図４に符号（５３）で例示した弾性体は、シート状の樹脂成形体であり、斯かる樹脂成形体（５３）は、各スペーサー（３）の先端、すなわち、間隙構成部（５１）の先端に付設される。本発明の間仕切壁においては、スペーサー（３）に上記の様な弾性体が付設されていることにより、上枠（１）及び下枠（２）のパネル支持溝（２３）によって一対の意匠パネル（３）を支持した場合、上枠（１）の側板（１３）及びパネル支持溝（２３）の外側板（２３ａ）に対し、各意匠パネル（３）を内側から押し付けることが出来、各意匠パネル（３）のがたつきを防止することが出来る。
【００２７】
また、本発明の間仕切壁は、図４に示す様に、横方向に複数の意匠パネル（３）を配列し得る様に、特定の連結構造を備えている。すなわち、上記の様に、意匠パネル（３）の背面のスペーサー（５）は、箱状の間隙構成部（５１）と、当該間隙構成部の基部を構成する板状のパネル取付部（５２）とから構成されており、図３に示す様に、意匠パネル（３）の背面の一方の側縁部には、パネル取付部（５２）の一部を側縁から張出した状態で１つのスペーサー（５）が取り付けられる。更に、意匠パネル（３）の背面の他方の側縁部には、パネル取付部（５２）の一部を挟持するクリップ部材（６）が取り付けられる。そして、本発明の間仕切壁においては、図４に示す様に、横方向に配列した意匠パネル（３）同士をスペーサー（５）のパネル取付部（５２）とクリップ部材（６）とにより連結可能になされている。
【００２８】
具体的には、図３及び図４に示す様に、意匠パネル（３）の一方の側縁部に取り付けられるスペーサー（５）は、その板状のパネル取付部（５２）の一部がパネル側縁からはみ出した状態に取り付けられる。また、意匠パネル（３）の他方の側縁部に取り付けられるクリップ部材（６）は、長手方向に直交する断面が略三角形の山形に折曲された形状の型鋼や押出材などにより構成され、そして、図２に示す様に、意匠パネル（３）の一方の側縁部の例えば３箇所に付設される。クリップ部材（６）は、その先端側が弾性変形するため、２枚以上の意匠パネル（３）を横方向に配列した場合には、意匠パネル（３）の裏面とクリップ部材（６）との隙間に対し、隣接する意匠パネル（３）のスペーサー（５）のパネル取付部（５２）の先端縁部を挟み付ける様に挿入でき、その結果、隣接する意匠パネル（３）同士を段差なく連結することが出来る。
【００２９】
また、本発明の間仕切壁において、コーナー部を形成する場合は、上枠（１）及び下枠（２）を所定のコーナー形状に配置し、そして、これら上枠（１）及び下枠（２）の配置に倣って２組の意匠パネル（３）を突き合わせることによりコーナー部が形成される。例えば、図５に示す様に、コーナー部は、２組の意匠パネル（３）が使用されると共に、出隅部を構成する側（コーナーの外側）の各意匠パネル（３）の側端部に対し、入隅部を構成する側（コーナーの内側）の各意匠パネル（３）の側端部が短く形成されことにより、２組の壁を突き合わせた状態に構成される。そして、出隅部には、各隣接する意匠パネル（３）の側端縁を覆うため、断面をＬ字状に形成された長尺の縁材（７）が取り付けられる。
【００３０】
更に、図６に示す様に、本発明の間仕切壁においては、壁の小口（側端部）を被覆するため、壁の端部に位置する意匠パネル（３）の側縁部には、例えばアルミニウム押出材から成る被覆材（８）が付設される。被覆材（８）は、長手方向に直交する断面が略コ字状に形成された長尺の部材であり、その長手方向に沿った両側部には、意匠パネル（３）の側端縁を差し込むパネル挿入溝（８３）が備えられ、ねじ（８１）によって壁などに固定する様になされている。すなわち、小口に相当する各意匠パネル（３）の側縁は、被覆材（８）のパネル挿入溝（８３）に挿入されることにより被覆される。
【００３１】
本発明の間仕切壁は次の様にして施工される。すなわち、図１に示す様に、先ず、間仕切壁を構築する場所の天井（９０）に上枠（１）をねじ（１１）により取り付けた後、上枠（１）の直下に当該上枠の配置に倣って幅木部材（４）をねじ（４１）により取り付ける。次いで、幅木部材（４）の内側に下枠（２）を配置した後、ボルト（２１）の長さ（突出量）の調整により、下枠（２）の水平レベルを調節する。すなわち、幅木部材（４）に下枠（２）を収容した状態で下枠（２）を水平にセットする。
【００３２】
続いて、一方の側の意匠パネル（３）をその外側から持ち上げる様にして、意匠パネル（３）の上縁部を上枠（１）の内側、すなわち、上枠（１）の側板（３１）の内側に挿入した後、意匠パネル（３）の下縁部を下枠（２）の一方のパネル支持溝（２３）に落し込む。次いで、上記と同様に、他方の側の意匠パネル（３）をその外側から持ち上げる様にして、上縁部を上枠（１）の内側に挿入し、下縁部を下枠（２）の他方のパネル支持溝（２３）に落し込む。その際、先に設置した一方の意匠パネル（３）に対し、他方の意匠パネル（３）を押し付けることにより、各スペーサー（５）の弾性材（樹脂成形体（５３））を圧縮し、弾性材を含む各スペーサー（５）を双方の意匠パネル（３）の間で密着した状態とすることが出来、１組の意匠パネル（３）で一体的な壁を構成できる。
【００３３】
上記の様に施工された本発明の間仕切壁において、各意匠パネル（３）の背面に取り付けられた間柱状のスペーサー（５）は、各意匠パネル（３）の撓みを抑制し、かつ、互いに背面を内側にして一対の意匠パネル（３）を重ね合わせた場合、意匠パネル相互の間に介在して所定の壁厚を形成すると共に、意匠パネル（３）と協働して壁としての所要の剛性を発揮する。
【００３４】
また、一対の意匠パネル（３）を重ね合わせた場合、スペーサー（５）に付設された弾性体（樹脂成形体（５３））は、各意匠パネル（３）を相互に引き離す方向に反発力を発揮し、一方、上枠（１）及び下枠（２）は、各々、意匠パネル（３）の上縁部および下縁部を外側から支持し、互いに離れる方向への各意匠パネル（３）の移動を規制する。これにより、一対の意匠パネル（３）は、所定の壁厚を維持した状態でがたつきなく天井（９０）と床（９１）の間に固定される。更に、意匠パネル（３）の上縁部を支持する挿入構造の上枠（１）、および、意匠パネル（３）の下縁部を支持する落し込み構造の下枠（３）は、意匠パネル（３）への水平荷重に対して高い支持強度を発揮する。
【００３５】
上記の様に、本発明の間仕切壁は、乾式の施工が可能な壁であり、主に、上枠（１）、下枠（２）、１種類の意匠パネル（３）及びねじ類だけで構築でき、かつ、上枠（１）、下枠（２）を取り付け、これら下枠（１）及び下枠（２）に意匠パネル（３）を嵌め込むだけで構築でき、しかも、樋状の下枠（１）だけでレベル調整（水平調整）出来るため、手間と熟練を必要とせず、極めて簡単に施工できる。また、下枠（１）及び下枠（２）に嵌め込んだ状態に意匠パネル（３）を支持するため、水平荷重に対して高い強度を発揮することが出来る。そして、移設する場合も、組立時と反対の作業、すなわち、意匠パネル（３）を持ち上げて取り外し、下枠（２）と上枠（１）を取り外すだけで解体することが出来、かつ、解体による部材の破損がないため、極めて容易に移設することが出来る。
【００３６】
【発明の効果】
本発明の間仕切壁によれば、部材数が少なく、かつ、天井、床に取り付けた下枠および下枠に意匠パネルを嵌め込むだけで構築でき、しかも、下枠だけでレベル調整（水平調整）出来るため、手間と熟練を必要とせず、極めて簡単に施工できる。そして、移設する場合は、意匠パネルを持ち上げて取り外し、下枠と上枠を取り外すだけで解体することが出来、かつ、解体による部材の破損がないため、極めて容易に移設することが出来る。
【図面の簡単な説明】
【図１】本発明に係る間仕切壁の構造を示す厚さ方向に沿った縦断面図である。
【図２】意匠パネルの外観および構造を示す斜視図である。
【図３】意匠パネルにおけるスペーサーの配置例を示す平面図である。
【図４】横方向に配列した意匠パネルの連結構造を示す水平断面図である。
【図５】本発明に係る間仕切壁のコーナー部の構造を示す水平断面図である。
【図６】本発明に係る間仕切壁の小口の構造を示す水平断面図である。
【符号の説明】
１  ：上枠
２  ：下枠
２１：ボルト
２３：パネル支持溝
３  ：意匠パネル
４  ：幅木部材
５  ：スペーサー
５１：間隙構成部
５２：パネル取付部
５３：樹脂成形体（弾性体）
６  ：クリップ部材
９０：天井
９１：床
【図１】
2005009263.tif 000003
【図２】
2005009263.tif 000004
【図３】
2005009263.tif 000005
【図４】
2005009263.tif 000006
【図５】
2005009263.tif 000007
【図６】
2005009263.tif 000008